(57)【要約】【課題】無駄なタイムスタンプの取得を防ぎつつ、効果的にファクシミリデータにタイムスタンプを付与する。【解決手段】ファクシミリデータの送受信に先立ち送信相手との間で能力交換を行う通信プロトコルに従いファクシミリ通信を行う通信端末装置（１００および２００）において、予め受信側ファクシミリ装置１００から自装置でタイムスタンプを取得可能か否かを示す能力情報を送信側ファクシミリ装置２００に送信する。送信側ファクシミリ装置２００では、ファクシミリデータへのタイムスタンプ付与指示が行われ、受信側ファクシミリ装置１００でタイムスタンプを取得可能な場合、受信側ファクシミリ装置１００に、タイムスタンプの取得指示を含む指示情報を送信する。【選択図】図１
2008035099.tif 000002
【特許請求の範囲】
【請求項１】
ファクシミリデータの送受信に先立ち送信相手との間で能力交換を行う通信プロトコルに従いファクシミリ通信を行う通信端末装置であって、
タイムスタンプ局からタイムスタンプを取得するタイムスタンプ取得部と、
ファクシミリデータを受信する通信制御部であって、当該ファクシミリデータの受信に先立ち、送信側端末に自装置の能力情報を送信するとともに前記能力情報に対する前記送信側端末からの前記ファクシミリデータに関する指示情報を受信する通信制御部と、
前記通信制御部が送信する前記能力情報に、自装置でタイムスタンプを取得可能か否かを示す情報を含める能力情報生成部と、
前記通信制御部が受信した前記指示情報にタイムスタンプの取得指示が含まれるか否かを検出する指示情報検出部と、
前記指示情報検出部が、前記指示情報にタイムスタンプの取得指示が含まれることを検出すると、前記タイムスタンプ取得部にタイムスタンプを取得させ、当該タイムスタンプを前記通信制御部が受信した前記ファクシミリデータに付与するタイムスタンプ付与部と、
を含む通信端末装置。
【請求項２】
請求項１に記載の通信端末装置において、
前記通信プロトコルは、非標準機能設定信号を含むファクシミリ制御信号の送受信を行い、
前記能力情報および前記指示情報は、前記非標準機能設定信号に含まれる通信端末装置。
【請求項３】
ファクシミリデータの送受信に先立ち送信相手との間で能力交換を行う通信プロトコルに従いファクシミリ通信を行う通信端末装置であって、
送信するファクシミリデータへのタイムスタンプの付与指示を受け付ける指示受付部と、
ファクシミリデータを送信する通信制御部であって、当該ファクシミリデータの送信に先立ち、受信側端末から当該装置の能力情報を受信するとともに前記能力情報に対する前記ファクシミリデータに関する指示情報を前記受信側端末に送信する通信制御部と、
前記通信制御部が受信した前記能力情報に、前記受信側端末がタイムスタンプを取得可能であることを示す情報が含まれるか否かを検出する能力情報検出部と、
前記指示受付部が前記ファクシミリデータへのタイムスタンプの付与指示を受け付けるとともに、前記能力情報検出部が前記能力情報にタイムスタンプを取得可能であることを示す情報が含まれることを検出した場合、前記通信制御部が送信する前記指示情報に、タイムスタンプの取得指示を含める指示情報生成部と、
を含む通信端末装置。
【請求項４】
請求項３に記載の通信端末装置において、
タイムスタンプ局からタイムスタンプを取得するタイムスタンプ取得部と、
前記指示受付部が前記ファクシミリデータへのタイムスタンプの付与指示を受け付けるとともに、前記能力情報検出部が前記能力情報にタイムスタンプを取得可能であることを示す情報が含まれないことを検出した場合、前記タイムスタンプ取得部にタイムスタンプを取得させ、当該タイムスタンプを前記通信制御部が送信する前記ファクシミリデータに付与するタイムスタンプ付与部と、
をさらに含む通信端末装置。
【請求項５】
請求項３に記載の通信端末装置において、
前記指示受付部が前記ファクシミリデータへのタイムスタンプの付与指示を受け付けるとともに、前記能力情報検出部が前記能力情報にタイムスタンプを取得可能であることを示す情報が含まれないことを検出した場合、タイムスタンプ付与を行えないことを示す情報を通知する通知部をさらに含む通信端末装置。
【請求項６】
請求項３から５いずれかに記載の通信端末装置において、
前記通信プロトコルは、非標準機能設定信号を含むファクシミリ制御信号の送受信を行い、
前記能力情報および前記指示情報は、前記非標準機能設定信号に含まれる通信端末装置。
【発明の詳細な説明】
【技術分野】
【０００１】
本発明は、通信端末装置に関する。
【背景技術】
【０００２】
近年、文書の電子化が急速に進む中、電子文書の真正性を保証するための仕組みが求められている。その仕組みの一つとして、電子文書に信頼される認証局より発行された電子署名と信頼されるＴＡ（Time Authority：時刻配信局）から配信された正確な時刻情報を元にＴＳＡ（Time-Stamping Authority：時刻認証局）より発行された時刻認証用のタイムスタンプを付与する方法がある。
【０００３】
特許文献１には、送信された電子メール文書およびメールに添付されたファイルを保存する電子メール文書原本保存装置であって、電子メール文書およびメールに添付されたファイルの改ざんを検知する手段と、改ざん検知時に送信者および受信者に改ざんを通知する手段と、電子メール文書およびメールに添付されたファイルを暗号化して記録装置に保存する保存手段と、タイムスタンプを作成し電子メールに付加する手段と、保存した前記記録装置へのアクセスを制限する手段とを備える電子メール文書原本性保証装置が記載されている。
【特許文献１】特開２００５−１０１８８３号公報
【発明の開示】
【発明が解決しようとする課題】
【０００４】
ところで、一般に、ＴＳＡとクライアントとの間では、予め契約により所定数毎に課金されるタイムスタンプを必要数購入する。そして必要に応じて、文書のハッシュ値をＴＳＡに送信してタイムスタンプの発行を要求し、ＴＳＡからタイムスタンプを受け取り、文書にタイムスタンプを押印することができる。従って、タイムスタンプ数を削減するため、すなわちタイムスタンプにかかる費用を節約するために、無駄なタイムスタンプの取得はできるだけ避けることが好ましい。
【０００５】
本発明は上記事情に鑑みてなされたものであり、無駄なタイムスタンプの取得を防ぎつつ、効果的にファクシミリデータにタイムスタンプを付与することのできる技術を提供する。
【課題を解決するための手段】
【０００６】
本発明によれば、
ファクシミリデータの送受信に先立ち送信相手との間で能力交換を行う通信プロトコルに従いファクシミリ通信を行う通信端末装置であって、
タイムスタンプ局からタイムスタンプを取得するタイムスタンプ取得部と、
ファクシミリデータを受信する通信制御部であって、当該ファクシミリデータの受信に先立ち、送信側端末に自装置の能力情報を送信するとともに前記能力情報に対する前記送信側端末からの前記ファクシミリデータに関する指示情報を受信する通信制御部と、
前記通信制御部が送信する前記能力情報に、自装置でタイムスタンプを取得可能か否かを示す情報を含める能力情報生成部と、
前記通信制御部が受信した前記指示情報にタイムスタンプの取得指示が含まれるか否かを検出する指示情報検出部と、
前記指示情報検出部が、前記指示情報にタイムスタンプの取得指示が含まれることを検出すると、前記タイムスタンプ取得部にタイムスタンプを取得させ、当該タイムスタンプを前記通信制御部が受信した前記ファクシミリデータに付与するタイムスタンプ付与部と、
を含む通信端末装置が提供される。
【０００７】
本発明によれば、
ファクシミリデータの送受信に先立ち送信相手との間で能力交換を行う通信プロトコルに従いファクシミリ通信を行う通信端末装置であって、
送信するファクシミリデータへのタイムスタンプの付与指示を受け付ける指示受付部と、
ファクシミリデータを送信する通信制御部であって、当該ファクシミリデータの送信に先立ち、受信側端末から当該装置の能力情報を受信するとともに前記能力情報に対する前記ファクシミリデータに関する指示情報を前記受信側端末に送信する通信制御部と、
前記通信制御部が受信した前記能力情報に、前記受信側端末がタイムスタンプを取得可能であることを示す情報が含まれるか否かを検出する能力情報検出部と、
前記指示受付部が前記ファクシミリデータへのタイムスタンプの付与指示を受け付けるとともに、前記能力情報検出部が前記能力情報にタイムスタンプを取得可能であることを示す情報が含まれることを検出した場合、前記通信制御部が送信する前記指示情報に、タイムスタンプの取得指示を含める指示情報生成部と、
を含む通信端末装置が提供される。
【０００８】
これにより、送信側の通信端末装置で、受信側の通信端末装置がタイムスタンプ局からタイムスタンプを取得可能か否かを予め把握することができるので、必要に応じて、送信側からタイムスタンプの取得指示を受信側の通信端末装置に行うことができる。通常、送信者は送信するファクシミリデータの内容を把握しているため、ファクシミリデータに、タイムスタンプ局から取得したタイムスタンプを付与すべきか否かの判断を容易に行うことができる。本発明の構成によれば、送信側で、タイムスタンプ取得の指示を行うことができるため、無駄なタイムスタンプの取得を防ぎつつ、効果的にファクシミリデータにタイムスタンプを付与することができる。また、受信側でタイムスタンプを取得するようにすることにより、受信側でそのデータを取得した時刻の証明も同時に行うことができ、効果的なタイムスタンプの付与処理を行うことができる。
【０００９】
本発明の通信端末装置は、タイムスタンプ局からタイムスタンプを取得するタイムスタンプ取得部と、前記指示受付部が前記ファクシミリデータへのタイムスタンプの付与指示を受け付けるとともに、前記能力情報検出部が前記能力情報にタイムスタンプを取得可能であることを示す情報が含まれないことを検出した場合、前記タイムスタンプ取得部にタイムスタンプを取得させ、当該タイムスタンプを前記通信制御部が送信する前記ファクシミリデータに付与するタイムスタンプ付与部と、をさらに含むことができる。
【００１０】
本発明の通信端末装置は、前記指示受付部が前記ファクシミリデータへのタイムスタンプの付与指示を受け付けるとともに、前記能力情報検出部が前記能力情報にタイムスタンプを取得可能であることを示す情報が含まれないことを検出した場合、タイムスタンプ付与を行えないことを示す情報を通知する通知部をさらに含むことができる。
【００１１】
以上の本発明の通信端末装置において、前記通信プロトコルは、非標準機能設定信号を含むファクシミリ制御信号の送受信を行うものとすることができ、前記能力情報および前記指示情報は、前記非標準機能設定信号に含まれる構成とすることができる。
【発明の効果】
【００１２】
本発明によれば、無駄なタイムスタンプの取得を防ぎつつ、効果的にファクシミリデータにタイムスタンプを付与することができる。
【発明を実施するための最良の形態】
【００１３】
以下、本発明の実施の形態について、図面を用いて説明する。尚、すべての図面において、同様な構成要素には同様の符号を付し、適宜説明を省略する。
【００１４】
本実施の形態において、通信端末装置は、たとえばネットワークファクシミリ装置、ＭＦＰ（Ｍｕｌｔｉ  Ｆｕｎｃｔｉｏｎａｌ  Ｐｅｒｉｐｈｅｒａｌ）等のファクシミリ装置とすることができる。
【００１５】
図１は、本実施の形態に係るファクシミリ装置を含むネットワーク構成を示すブロック図である。
ここでは、わかりやすくするために、受信側ファクシミリ装置１００と送信側ファクシミリ装置２００とをそれぞれ示し、それぞれに特有の構成のみ示す。しかし、受信側ファクシミリ装置１００および送信側ファクシミリ装置２００は、送信側と受信側の区別なく、両方の機能を有する装置とすることができる。
【００１６】
受信側ファクシミリ装置１００と送信側ファクシミリ装置２００とは、ネットワーク３００を介して接続される。ここで、受信側ファクシミリ装置１００と送信側ファクシミリ装置２００とは、ファクシミリデータの送受信に先立ち相互間で能力交換を行う通信プロトコルに従いファクシミリ通信を行う。
【００１７】
本実施の形態において、ネットワーク３００は、ＰＳＴＮ（公衆交換電話網）とすることができる。受信側ファクシミリ装置１００と送信側ファクシミリ装置２００とは、Ｇ３（Ｇｒｏｕｐ３）規格またはＧ４（Ｇｒｏｕｐ４）規格でファクシミリ通信を行うことができる。
【００１８】
本実施の形態において、受信側ファクシミリ装置１００と送信側ファクシミリ装置２００とは、ファクシミリデータの送受信に先立ち、ファクシミリ制御信号を送受信する。ファクシミリ制御信号は、非標準機能設定信号（国際機関の勧告で使い方が規定されておらず、各メーカが独自の使い方で独自の機能を実現できるための信号であるＮＳＳ）を含む。受信側ファクシミリ装置１００や送信側ファクシミリ装置２００は、能力情報および指示情報を非標準機能設定信号に含めることができる。具体的には、能力情報および指示情報は、ファクシミリ制御信号のＮＳＦ（拡張ビットを指定できるフィールド）に書き込むことができる。
【００１９】
受信側ファクシミリ装置１００および送信側ファクシミリ装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置には、いろいろな変形例があることは、当業者には理解されるところである。すなわち、本明細書において説明する各図は、ハードウェア単位の構成ではなく、機能単位のブロックを示している。なお、図１において、本発明の本質に関わらない部分の構成については、省略してあり、たとえばファクシミリ装置の構成である画像処理部および記録部などは図示されていない。
【００２０】
受信側ファクシミリ装置１００は、通信制御部１０２、能力情報生成部１０４、指示情報検出部１０６、出力処理部１０８、タイムスタンプ取得部１１０、およびタイムスタンプ付与部１１２を含む。
【００２１】
通信制御部１０２は、送信側ファクシミリ装置２００から送信されるファクシミリデータを受信する。また、通信制御部１０２は、当該ファクシミリデータの受信に先立ち、送信側ファクシミリ装置２００に自装置の能力情報を送信するとともに能力情報に対する送信側ファクシミリ装置２００からのファクシミリデータに関する指示情報を受信する。
【００２２】
能力情報生成部１０４は、通信制御部１０２が送信する能力情報に、自装置でタイムスタンプを取得可能か否かを示す情報を含める。指示情報検出部１０６は、通信制御部１０２が受信した指示情報にタイムスタンプの取得指示が含まれるか否かを検出する。上述したように、能力情報および指示情報は、ファクシミリ制御信号の非標準機能設定信号に含めることができる。
【００２３】
タイムスタンプ取得部１１０は、ネットワーク３０２を介して、タイムスタンプ局（ＴＳＡ：Time-Stamping Authority）３１０からタイムスタンプを取得する。ネットワーク３０２は、たとえばインターネットとすることができる。タイムスタンプ局３１０は、信頼できるＴＡ（Time Authority）（不図示）から取得した正確な時刻情報を元に時刻認証用のタイムスタンプを生成し、クライアント端末である受信側ファクシミリ装置１００に発行する。
【００２４】
タイムスタンプ付与部１１２は、指示情報検出部１０６が、指示情報にタイムスタンプの取得指示が含まれることを検出すると、タイムスタンプ取得部１１０にタイムスタンプを取得させ、当該タイムスタンプを通信制御部１０２が受信したファクシミリデータに付与する。また、タイムスタンプ付与部１１２は、指示情報にタイムスタンプの取得指示が含まれないことを検出すると、装置の設定時刻をファクシミリデータに付与することができる。このような時刻の付与は従来のファクシミリ装置と同様の手順で行うことができる。
【００２５】
出力処理部１０８は、タイムスタンプが付与されたファクシミリデータを印刷する。
【００２６】
送信側ファクシミリ装置２００は、通信制御部２０２、指示情報生成部２０４、能力情報検出部２０６、データ取得部２０８、タイムスタンプ取得部２１０、タイムスタンプ付与部２１２、指示受付部２１４、および通知部２１６を含む。
【００２７】
データ取得部２０８は、送信するファクシミリデータを取得する。ここで、送信側ファクシミリ装置２００は、原稿を読み取り、当該原稿に基づき画像データを生成する読取部（不図示）を含むことができる。データ取得部２０８は、読取部が生成した画像データをファクシミリデータとして取得することができる。また、データ取得部２０８は、ネットワーク経由で他の端末から、または取り外し可能な記録媒体等から、ファクシミリデータを取得することもできる。
【００２８】
指示受付部２１４は、送信するファクシミリデータへのタイムスタンプの付与指示を受け付ける。この指示は、たとえば送信側ファクシミリ装置２００の図示しない操作パネル等を介して受け付けることができる。
【００２９】
通信制御部２０２は、受信側ファクシミリ装置１００にファクシミリデータを送信する。通信制御部２０２は、当該ファクシミリデータの送信に先立ち、受信側ファクシミリ装置１００から当該装置の能力情報を受信するとともに能力情報に対するファクシミリデータに関する指示情報を受信側ファクシミリ装置１００に送信する。
【００３０】
能力情報検出部２０６は、通信制御部２０２が受信した能力情報に、受信側ファクシミリ装置１００がタイムスタンプを取得可能であることを示す情報が含まれるか否かを検出する。
【００３１】
指示情報生成部２０４は、指示受付部２１４がファクシミリデータへのタイムスタンプの付与指示を受け付けるとともに、能力情報検出部２０６が能力情報にタイムスタンプを取得可能であることを示す情報が含まれることを検出した場合、通信制御部２０２が送信する指示情報に、タイムスタンプの取得指示を含める。
【００３２】
タイムスタンプ取得部２１０は、ネットワーク３０４を介して、タイムスタンプ局３１２からタイムスタンプを取得する。ネットワーク３０４は、たとえばインターネットとすることができる。タイムスタンプ局３１２は、信頼できるＴＡ（不図示）から取得した正確な時刻情報を元に時刻認証用のタイムスタンプを生成し、クライアント端末である送信側ファクシミリ装置２００に発行する。
【００３３】
タイムスタンプ付与部２１２は、指示受付部２１４がファクシミリデータへのタイムスタンプの付与指示を受け付けるとともに、能力情報検出部２０６が能力情報にタイムスタンプを取得可能であることを示す情報が含まれないことを検出した場合、タイムスタンプ取得部にタイムスタンプを取得させ、当該タイムスタンプを通信制御部が送信するファクシミリデータに付与する。ここで、この場合、タイムスタンプ付与部２１２は、ファクシミリデータのたとえばヘッダやフッタ領域に、タイムスタンプが表示されるようにして、画像データを生成し、それを送信するファクシミリデータとすることができる。また、そのタイムスタンプが、タイムスタンプ局３１２から取得したものであることを示す情報が表示されるようにして、画像データを生成することもできる。
【００３４】
通知部２１６は、指示受付部２１４がファクシミリデータへのタイムスタンプの付与指示を受け付けるとともに、能力情報検出部２０６が能力情報にタイムスタンプを取得可能であることを示す情報が含まれないことを検出した場合、タイムスタンプ付与を行えないことを示す情報を通知する。
【００３５】
次に、本実施の形態における受信側ファクシミリ装置１００および送信側ファクシミリ装置２００の動作を説明する。図２は、受信側ファクシミリ装置１００および送信側ファクシミリ装置２００の処理手順を示すフローチャートである。以下、図１も参照して説明する。
【００３６】
送信側ファクシミリ装置２００において、ファクシミリの送信指示があると（Ｓ１００のＹＥＳ）、通信制御部２０２は、送信先の受信側ファクシミリ装置１００に発呼（ｃａｌｌ）を行う（Ｓ１０２）。
【００３７】
受信側ファクシミリ装置１００において、送信側ファクシミリ装置２００からの発呼を受け、能力情報生成部１０４は、自装置でタイムスタンプ（ＴＳ）を取得可能か否か示す情報を含む能力情報を生成する（Ｓ１０４）。通信制御部１０２は、能力情報生成部１０４が生成した能力情報を送信側ファクシミリ装置２００に送信する（Ｓ１０６）。
【００３８】
つづいて、送信側ファクシミリ装置２００において、能力情報検出部２０６は、受信側ファクシミリ装置１００から送信された能力情報を解析し、当該能力情報に受信側ファクシミリ装置１００がタイムスタンプを取得可能であることを示す情報が含まれるか否かを検出する（Ｓ１０８）。
【００３９】
タイムスタンプ付与部２１２は、指示受付部２１４がタイムスタンプ付与指示を受け付けているか否かを判断し（Ｓ１１０）、タイムスタンプ付与指示を受け付けている場合（Ｓ１１０のＹＥＳ）、ステップＳ１０８における能力情報検出部２０６の検出に基づき、受信側ファクシミリ装置１００がタイムスタンプを取得可能であるか否かを判断する（Ｓ１１２）。受信側ファクシミリ装置１００がタイムスタンプを取得可能な場合（Ｓ１１２のＹＥＳ）、タイムスタンプ付与部２１２は、指示情報生成部２０４にその旨を通知する。指示情報生成部２０４は、タイムスタンプ付与部２１２の通知に基づき、タイムスタンプ付与指示を含む指示情報を生成する（Ｓ１１４）。
【００４０】
一方、ステップＳ１１２において、受信側ファクシミリ装置１００がタイムスタンプを取得可能でない場合（Ｓ１１２のＮＯ）、タイムスタンプ付与部２１２は、図示しない設定記憶部に記憶された設定等に従い、送信側ファクシミリ装置２００側でタイムスタンプを取得してファクシミリデータに付与する処理、またはタイムスタンプの取得が不可能であることを通知する処理を行う（Ｓ１１６）。送信側ファクシミリ装置２００側でタイムスタンプを取得してファクシミリデータに付与する場合、タイムスタンプ付与部２１２は、タイムスタンプ取得部２１０にタイムスタンプを取得させる。タイムスタンプ付与部２１２は、タイムスタンプ取得部２１０が取得したタイムスタンプを送信するファクシミリデータに付与する。一方、タイムスタンプの取得が不可能であることを通知する処理を行う場合、タイムスタンプ付与部２１２は、通知部２１６に、通知を行わせる。ステップＳ１１６の後、指示情報生成部２０４は、通常の指示情報を生成する（Ｓ１１８）。通常の指示情報とは、タイムスタンプ付与指示を含まない非標準機能設定信号を生成することである。
【００４１】
また、ステップＳ１１０において、指示受付部２１４がタイムスタンプ付与指示を受け付けていない場合（Ｓ１１０のＮＯ）もステップＳ１１８に進み、通常の指示情報を生成する。
【００４２】
ステップＳ１１４またはステップＳ１１８の後、通信制御部２０２は、指示情報生成部２０４が生成した指示情報を受信側ファクシミリ装置１００に送信する（Ｓ１２０）。
【００４３】
受信側ファクシミリ装置１００において、送信側ファクシミリ装置２００から指示情報が送信されると、指示情報検出部１０６は、指示情報を解析し、指示情報に、タイムスタンプ付与指示が含まれるか否か等を検出する（Ｓ１２２）。また、送信側ファクシミリ装置２００は、指示情報を含む通信制御信号を送信した後、受信側ファクシミリ装置１００にファクシミリデータを送信する（Ｓ１２４）。
【００４４】
受信側ファクシミリ装置１００において、送信側ファクシミリ装置２００から送信された指示情報にタイムスタンプ付与指示が含まれる場合（Ｓ１２６のＹＥＳ）、タイムスタンプ付与部１１２は、タイムスタンプ取得部１１０にタイムスタンプを取得させる（Ｓ１２８）。タイムスタンプ付与部１１２は、タイムスタンプ取得部１１０が取得したタイムスタンプを受信したファクシミリデータに付与する（Ｓ１３０）。出力処理部１０８は、タイムスタンプが付与されたファクシミリデータを印刷出力する（Ｓ１３２）。
【００４５】
また、ステップＳ１２６において、送信側ファクシミリ装置２００から送信された指示情報にタイムスタンプ付与指示が含まれない場合（Ｓ１２６のＮＯ）、タイムスタンプ付与部１１２は、装置の設定時刻をファクシミリデータに付与する（Ｓ１３４）。この後、出力処理部１０８は、この設定時刻が付与されたファクシミリデータを印刷出力する（Ｓ１３２）。以上により処理が終了する。
【００４６】
本実施の形態における受信側ファクシミリ装置１００および送信側ファクシミリ装置２００によれば、送信側の通信端末装置で、受信側の通信端末装置がタイムスタンプ局からタイムスタンプを取得可能か否かを予め把握することができるので、必要に応じて、送信側からタイムスタンプの取得指示を受信側の通信端末装置に行うことができる。通常、送信者は送信するファクシミリデータの内容を把握しているため、ファクシミリデータに、タイムスタンプ局から取得したタイムスタンプを付与すべきか否かの判断を容易に行うことができる。本発明の構成によれば、送信側で、タイムスタンプ取得の指示を行うことができるため、無駄なタイムスタンプの取得を防ぎつつ、効果的にファクシミリデータにタイムスタンプを付与することができる。
【００４７】
なお。受信側ファクシミリ装置１００とタイムスタンプ局３１０との通信、およびタイムスタンプ取得部２１０とタイムスタンプ局３１２との間の通信プロトコルは、たとえば、ＩＥＴＦ  ＲＦＣ３１６１（Time Stamp Protocol）規格に準拠させることができる。
【００４８】
以上、図面を参照して本発明の実施形態について述べたが、これらは本発明の例示であり、上記以外の様々な構成を採用することもできる。
【００４９】
以上の実施の形態においては、ネットワーク３００がＰＳＴＮで、受信側ファクシミリ装置１００と送信側ファクシミリ装置２００とがＧ３規格またはＧ４規格でファクシミリ通信を行う例を示した。しかし、本発明はファクシミリデータの送受信に先立ち相互間で能力交換を行う通信プロトコルを用いる形式であれば、ネットワーク３００がインターネットであって、受信側ファクシミリ装置１００と送信側ファクシミリ装置２００とがインターネット経由で通信を行う形態に適用することもできる。たとえば、受信側ファクシミリ装置１００と送信側ファクシミリ装置２００とは、Ｔ３８形式のファクシミリ通信を行うことができる。
【図面の簡単な説明】
【００５０】
【図１】本発明の実施の形態に係るファクシミリ装置を含むネットワーク構成を示すブロック図である。
【図２】本発明の実施の形態におけるファクシミリ装置の処理手順を示すフローチャートである。
【符号の説明】
【００５１】
１００ 受信側ファクシミリ装置
１０２ 通信制御部
１０４ 能力情報生成部
１０６ 指示情報検出部
１０８ 出力処理部
１１０ タイムスタンプ取得部
１１２ タイムスタンプ付与部
２００ 送信側ファクシミリ装置
２０２ 通信制御部
２０４ 指示情報生成部
２０６ 能力情報検出部
２０８ データ取得部
２１０ タイムスタンプ取得部
２１２ タイムスタンプ付与部
２１４ 指示受付部
２１６ 通知部
３００ ネットワーク
３０２ ネットワーク
３０４ ネットワーク
３１０ タイムスタンプ局
３１２ タイムスタンプ局
【図１】
2008035099.tif 000003
【図２】
2008035099.tif 000004